(57)【要約】電動工具は環状部材を有する磁束リングを含んでいる。少なくとも１つの成形された磁石が環状部材に受け入れられる。固定具が環状部材上にあり少なくとも１つの磁石を環状部材上に保持する。固定具は環状部材と単一体に形成され磁石を受け入れる。固定具は少なくとも１つの屈曲部を含み補強部材が少なくとも１つの屈折部に設けられる。
2004500797.tif 000002
【特許請求の範囲】
【請求項１】
環状のハウジングと
前記ハウジング上に受け入れられた少なくとも１つの成形された磁石と、
前記少なくとも１つの磁石を前記環状ハウジング上に保持する前記ハウジング上の固定具、
とを具備し、前記固定具が前記ハウジングと共に単一体に形成されている、
磁束リング。
【請求項２】
前記環状ハウジングが金属である請求項１に記載の磁束リング。
【請求項３】
前記固定具が屈曲部を含み、補強部材が前記屈曲部に配置されている請求項１に記載の磁束リング。
【請求項４】
前記固定具が前記ハウジングから半径方向に突出している請求項３に記載の磁束リング。
【請求項５】
前記固定具が前記ハウジングから形成され前記固定具の直ぐ近くに開口が設けられている請求項３に記載の磁束リング。
【請求項６】
前記磁石が前記固定具の周りに前記開口の中に向って成形される請求項５に記載の磁束リング。
【請求項７】
前記固定具が、２つの端部が前記ハウジングに連結された矩形の全体形状を有し補強部材が屈曲部に設けられている請求項３に記載の磁束リング。
【請求項８】
一端が前記ハウジングに連結されている請求項７に記載の磁束リング。
【請求項９】
前記固定具が、一端が前記ハウジングに連結されたＬ字形の全体形状を有している請求項３に記載の磁束リング。
【請求項１０】
前記固定具が、前記ハウジングに一端が連結されたＴ字形の全体形状を有している請求項３に記載の磁束リング。
【請求項１１】
前記固定具が截頭円錐形を有している請求項１に記載の磁束リング。
【請求項１２】
前記截頭円錐形が軸方向の開口を有している請求項１１に記載の磁束リング。
【請求項１３】
環状のハウジングと、
前記ハウジング上に受け入れられた少なくとも１つの成形された磁石と、
前記環状ハウジング上に前記少なくとも１つの磁石を保持し、前記ハウジングと共に単一体に形成されている、前記ハウジング上の固定具、
とを具備する磁束リングであって、
前記固定具が開口を含み、前記開口が前記ハウジングの外面にさら穴部分を含んでいる、
磁束リング。
【請求項１４】
前記成形された磁石が前記開口に嵌入し、リベット形状の部材を形成する請求項１３に記載の磁束リング。
【請求項１５】
前記ハウジングが前記ハウジングから突出する第２の固定具を含んでいる請求項１３に記載の磁束リング。
【請求項１６】
前記固定具が屈曲部を含み補強部材が前記屈曲部に配置されている請求項１５に記載の磁束リング。
【請求項１７】
前記第２の固定具が前記ハウジングの一部であり前記第２の固定具の直ぐ近くに開口を有している請求項１６に記載の磁束リング。
【請求項１８】
前記磁石が前記第２の固定具に周りに前記開口の中に向って成形される請求項１７に記載の磁束リング。
【請求項１９】
前記第２の固定具が２つの端部が前記ハウジングに連結された矩形の全体形状を有している請求項１６に記載の磁束リング。
【請求項２０】
一端が前記ハウジングに連結されている請求項１９に記載の磁束リング。
【請求項２１】
前記第２の固定具が前記ハウジングに一端が連結されたＬ字形の全体形状を有している請求項１６に記載の磁束リング。
【請求項２２】
前記固定具が前記ハウジングに一端が連結されたＴ字形の全体形状を有している請求項１６に記載の磁束リング。
【請求項２３】
前記固定具が截頭円錐体形状を有している請求項１３に記載の磁束リング。
【請求項２４】
前記截頭円錐体が軸方向の開口を有している請求項２３に記載の磁束リング。
【請求項２５】
磁束リングを含むステータ組立体を具備するモータであって、磁束リングが、
環状ハウジングと、
前記ハウジングに受け入れられた少なくとも１つの成形された磁石と、
前記少なくとも１つの磁石を前記環状ハウジング上に保持し、前記ハウジングと単一体に形成された、前記ハウジング上の固定具と、
前記ステータ組立体の内部で回転可能なアーマチュアと、
前記アーマチュアと共に回転可能で前記アーマチュアにシャフトを介して連結された整流子と、
前記整流子と結合された刷子組立体、
とを具備しているモータ。
【請求項２６】
前記環状ハウジングが金属である請求項２５に記載のモータ。
【請求項２７】
前記固定具が屈曲部を含み、前記屈曲部に補強部材が配置されている請求項２５に記載のモータ。
【請求項２８】
前記固定具が前記ハウジングから半径方向内側に突出している請求項２７に記載のモータ。
【請求項２９】
前記固定具が前記ハウジングの一部であり前記固定具の直ぐ近くに開口を有している請求項２７に記載のモータ。
【請求項３０】
前記磁石が前記固定具の周りに前記開口の中に向って成形される請求項２７に記載のモータリング。
【請求項３１】
前記固定具が２つの端部が前記ハウジングに連結された矩形の全体形状を有し補強部材が屈曲部に設けられている請求項２７に記載のモータ。
【請求項３２】
一端が前記ハウジングに連結されている請求項２７に記載のモータ。
【請求項３３】
固定具が前記ハウジングに一端が連結されたＬ字形の全体形状を有している請求項２７に記載のモータ。
【請求項３４】
前記固定具が前記ハウジングに一端が連結されたＴ字形の全体形状を有している請求項２７に記載のモータ。
【請求項３５】
ハウジングと前記ハウジング内部のモータとを具備する電動工具であって、前記モータが、
磁束リングを含むステータ組立体を具備し、磁束リングが、
環状ハウジングと、
前記環状ハウジングに受け入れられた少なくとも１つの成形された磁石と、
前記少なくとも１つの磁石を前記環状ハウジング上に保持し、前記環状ハウジングと単一体に形成された、前記ハウジング上の固定具と、
前記ステータ組立体の内部で回転可能なアーマチュアと、
前記アーマチュアと共に回転可能で前記アーマチュアにシャフトを介して連結された整流子と、
前記整流子に結合された刷子組立体と、
電力供給源と、
前記モータシャフトに連結された出力部材と、
前記モータと前記電力供給源との間で電気的に連結され前記モータと励磁しまた無励磁にし、前記モータが励磁された時に前記出力部材を回転するアクチュエータ部材
とを具備している電動工具。
【請求項３６】
前記環状ハウジングが金属である請求項３５に記載の電動工具。
【請求項３７】
前記固定具が屈曲部を含み補強部材が前記屈曲部に設けられている請求項３５に記載の電動工具。
【請求項３８】
前記固定具が前記環状ハウジングから半径方向内側に突出している請求項３７に記載の電動工具。
【請求項３９】
前記固定具が前記環状ハウジングの一部であり前記固定具の直ぐ近くに開口を有している請求項３７に記載の電動工具。
【請求項４０】
前記磁石が前記固定具の周りに前記開口の中に向って成形される請求項３７に記載の電動工具。
【請求項４１】
前記固定具が前記環状ハウジングに２つの端部が連結された矩形の全体形状を有し、屈曲部に補強部材が設けられている請求項３７に記載の電動工具。
【請求項４２】
一端が前記環状ハウジングに連結されている請求項３７に記載の電動工具。
【請求項４３】
前記固定具が前記環状ハウジングに一端が連結されたＬ字形の全体形状を有している請求項３７に記載の電動工具。
【請求項４４】
前記固定具が前記環状ハウジングに一端が連結されたＴ字形の全体形状を有している請求項３７に記載の電動工具。
【請求項４５】
環状ハウジングと、
前記ハウジング上に受け入れられた少なくとも１つの成形された磁石と、
前記少なくとも１つの磁石を前記環状ハウジング上に保持し、前記ハウジングと単一体に形成され、前記ハウジングの外側にさら穴部分を有する開口を含んでいる、前記ハウジング上の固定具と、
前記ステータ組立体の内部で回転可能なアーマチュアと、
前記アーマチュアと共に回転可能で前記アーマチュアにシャフトを介して連結された整流子と、
前記整流子に結合された刷子組立体
とを具備しているモータ。
【請求項４６】
前記成形された磁石が前記開口に嵌入しリベット形状の部材を形成している請求項４５に記載のモータ。
【請求項４７】
前記ハウジングが前記ハウジングから突出する第２の固定具を含んでいる請求項４６に記載のモータ。
【請求項４８】
前記固定具が屈曲部を含み、補強部材が前記屈曲部に配置されている請求項４７に記載のモータ。
【請求項４９】
ハウジングと前記ハウジングの中のモータとを具備する電動工具であって、前記モータがステータ組立体を具備し、前記ステータ組立体が磁束リングを含み、磁束リングが、
環状ハウジングと、
前記環状ハウジングに受け入れられた少なくとも１つの成形された磁石と、
前記少なくとも１つの磁石を前記環状ハウジング上に保持し、前記環状ハウジングと単一体に形成され、前記環状ハウジング上にさら穴部分を有する開口を含んでいる、前記ハウジング上の固定具と、
前記ステータ組立体の内部で回転可能なアーマチュアと、
前記アーマチュアと共に回転可能で前記開口にシャフトを介して連結された整流子と、
前記整流子に結合された刷子組立体と、
電力供給源と、
前記モータのシャフトに連結された出力部材と、
前記モータと前記電力供給源との間で電気的に連結され前記モータを励磁しまた無励磁にし前記モータが励磁された時前記出力部材を回転させる、アクチュエータ部材、
とを具備している、電動工具。
【請求項５０】
前記成形された磁石が前記開口に嵌入しリベット形状部材を形成する請求項４９に記載の電動工具。
【請求項５１】
前記ハウジングが前記環状ハウジングから突出する第２の固定具を含んでいる請求項５０に記載の電動工具。
【請求項５２】
前記固定具が屈曲部を含み、補強部材が前記屈曲部に設けられている請求項５１に記載の電動工具。
【発明の詳細な説明】
【０００１】
発明の背景と概要
本発明は電動工具に関し、さらに詳細には成形された磁石を磁束リング上に保持するためのアンカー（固定具）を備えた電動工具の磁束リングのためのモータ（電動機）に関する。
【０００２】
モータ構造においては、モータの磁石はハウジング又はハウジング内部の別体の磁束リングに保持されなければならない。普通には、これらの磁石は金属リング又はハウジングに接着され又は付着されている。磁石を金属の表面に接着しそれにより磁石が使用中移動しないようにするのに、種々の型式の接着剤が用いられてきた。ある種の接着剤は満足されるものであったが、ある接着剤は他の接着剤よりも良く作用する。接着剤が古くなるにつれて、電動工具が落下したとき突然の衝撃が磁石と、ハウジング又はリングとの間に接着を破壊し、磁石がモータの内部で走行することがある。これが起きた時、モータは作動を停止する。したがって磁石をリング又はハウジングの所定位置に保持するための機構を提供することが望まれる。
【０００３】
本発明は磁石を磁束リング又はモータハウジングに保持する機構を有する技術を提供する。成形された磁石の出現により、磁束リング又はハウジングに固定具を設け成形された材料をリング又はハウジング上に保持することができるようになった。１つのこのような固定部材はリング又はハウジングの外側にさら穴を有する開口である。したがって、磁石はリング上で成形された時、リングを通過してさら穴に入る磁性材料が固体のリベット形状の締結具を形成する。また、固定具はリング又はハウジングから打抜かれリングの内部に突出し成形された磁性材料を受取る。これら固定具はガセット（隅板）を含み屈曲個所を補強し固定具の強度を増強し成形中の変形に抵抗するのを助ける。固定具がリング又はハウジングから単一体に形成され又は打抜かれることにより、開口が打抜きの後にリング又はハウジングに残され、これが同様に成形された磁性材料で充たされる。
【０００４】
本発明の第１の形態によれば、磁束リングは環状ハウジングを具備している。少なくとも１つの成形された磁石がハウジングに受け入れられる。ハウジング上の１つの固定具がこの少なくとも１つの磁石を環状のハウジングに保持する。固定具はハウジングと共に単一体に形成される。固定具は少なくとも１つの屈曲部を含むことができる。補強部材が屈曲部に位置し固定具を強化する。環状ハウジングはハウジングから半径方向に突出する固定具を有する金属である。突出固定具はハウジングの固定具のすぐ隣に開口を有している。したがって、磁性材料は固定具の周りで開口の中に成形する。固定具は数個の異なる形状を有することができる。好ましくは、固定具は一方又は両方の端部がハウジングに連結された矩形形状を有する。また、固定具は一端がハウジングに連結されたＬ字又はＴ字形を有することもできる。さらに、固定具は軸方向の開口が貫通する截頭円錐形を有することができる。
【０００５】
本発明の第２の形態によれば、磁束リングはハウジングに受け入れられた少なくとも１つの成形された磁石を有する環状ハウジングを具備している。固定具はハウジング上にあり少なくとも１つの磁石を環状ハウジング上に保持する。固定具はハウジングと共に単一体に形成され固定具は開口を含みこの開口はハウジングの外面上にさら穴部分を有している。成形された磁石は開口に進入しリベット形状の部材を形成する。ハウジングはハウジングから突出する第２の固定具を含んでいる。第２の固定具は数個の異なる形状を有することができる。好ましくは、第２の固定具はその一端又は両端がハウジングに連結された矩形形状を有している。また、第２の固定具は一端がハウジングに連結されたＬ字形又はＴ字形を有することができる。さらに、固定具は軸方向の開口が貫通する截頭円錐形を有することができる。
【０００６】
本発明の第３の形態によれば、モータは磁束リングを含むステータ組立体を具備している。磁束リングは環状ハウジングを具備している。少なくとも１つの成形された磁石がハウジングに受け入れられる。ハウジングの固定具が少なくとも１つの磁石を環状ハウジングに保持する。固定具はハウジングと共に単一体に形成される。固定具は少なくとも１つの屈曲部を含んでもよい。補強部材が屈曲部に配置され固定具を強化する。環状ハウジングは金属でありハウジングから半径方向内側に突出している。この突出固定具はハウジングの固定具のすぐ隣りに開口を有している。したがって、磁石は固定具の周りに開口の中で成形する。固定具は数種の異なる形状とすることができる。好ましくは、固定具は矩形形状を有し、その一端又は両端がハウジングに連結されている。また、固定具は一端がハウジングに連結されたＬ字形又はＴ字形とすることができる。さらに、固定具は軸方向の開口が貫通する截頭円錐体とすることができる。またモータはステータ組立体の内部で回転することのできるアーマチュア（電機子）を具備している。整流子がアーマチュアと共に回転することができまたシャフトを介してアーマチュアに連結されている。刷子組立体が整流子と結合されている。
【０００７】
本発明の第４の形態によれば、電動工具はハウジングを具備しハウジングの内部にモータを有している。モータはステータ組立体を具備しステータ組立体は磁束リングを含んでいる。磁束リングは環状ハウジングを具備している。少なくとも１つの成形された磁石がハウジングに受け入れられる。ハウジングの固定具は少なくとも１つの磁石を環状ハウジング上に保持する。固定具はハウジングと共に単一体に形成される。固定具は少なくとも１つの屈曲部を含んでいる。補強部材が屈曲部に配置され固定具を強化する。環状ハウジングは金属であり固定具がハウジングから半径方向内側に突出している。この突出固定具はハウジングの固定具のすぐ隣に開口を有している。したがって、磁石は固定具の周りを開口の中に向って成形する。固定具は数種の異なる形状とすることができる。好ましくは、固定具は矩形形状を有し、その一端又は両端がハウジングに連結されている。また、固定具はＬ字形又はＴ字形を有し一端がハウジングに連結されるようにしてもよい。さらに、固定具は軸方向の開口が貫通する截頭円錐体とすることができる。またモータはステータ組立体の内部で回転可能なアーマチュアを具備している。整流子がアーマチュアと共に回転可能でありまたアーマチュアにシャフトを介して連結されている。刷子組立体が整流子と結合されている。また、電動工具はモータシャフトに連結された出力部材を含んでいる。アクチュエータ部材がモータと電力源との間で電気的に連結されモータを励磁しまた無励磁にする。そして、モータが励磁された時、出力部材は回転する。
【０００８】
本発明の第５の形態によれば、モータはステータ組立体を具備している。ステータ組立体は環状ハウジングを具備する磁束リングを含み、少なくとも１つの成形された磁石がこのハウジングに受け入れられている。固定具がハウジング上にあり少なくとも１つの磁石と環状ハウジング上に保持する。固定具はハウジングと共に単一体に形成され固定具は開口を含み、この開口はハウジングの外面上にさら穴部分を有している。成形された磁石が開口に進入しリベット形状の部材を形成する。ハウジングはハウジングから突出する第２の固定具を含むことができる。第２の固定具は数種の異なる形状とすることができる。好ましくは、第２の固定具は一端又は両端がハウジングに連結された矩形の形状を有する。また、第２の固定具は一端がハウジングに連結されたＬ字形又はＴ字形とすることができる。さらに、第２の固定具は軸方向の開口が貫通する截頭円錐体の形状とすることができる。また、モータはステータ組立体の内部で回転可能なアーマチュアを具備する。整流子がアーマチュアと共に回転可能でありシャフトを介してアーマチュアに連結される。刷子組立体が整流子と結合される。
【０００９】
本発明の第６の形態によれば、電動工具は内部にモータを有するハウジングを具備している。モータはステータ組立体を具備しステータ組立体は環状ハウジングを具備する磁束リングを含み、少なくとも１つの成形された磁石がこのハウジングに受け入れられている。固定具がハウジング上にあり少なくとも１つの磁石を環状ハウジング上に保持する。固定具はハウジングと共に単一体に形成され固定具は開口を含み、この開口はハウジングの外面上にさら穴部分を有している。成形された磁石が開口に嵌入しリベット形状の部材を形成する。ハウジングはハウジングから突出する第２の固定具を含むことができる。第２の固定具は数種の異なる形状を有することができる。好ましくは、第２の固定具は矩形の形状を有し、一端又は両端がハウジングに連結されている。また、第２の固定具は一端がハウジングに連結されたＬ字形又はＴ字形状とすることができる。さらに、第２の固定具は軸方向の開口が貫通する截頭円錐体形状とすることができる。またモータはステータ組立体の内部で回転可能なアーマチュアを具備する。整流子がアーマチュアと共に回転可能でありシャフトを介してアーマチュアに連結されている。刷子組立体が整流子と結合されている。また、電動工具はモータシャフトに連結された出力部材を含んでいる。アクチュエータ部材がモータと電力源との間で電気的に連結されモータを励磁しまた無励磁にする。そして、モータが励磁された時、出力部材が回転する。
【００１０】
本発明の他の目的と利点は好ましい実施態様の詳細な記載と添付の請求の範囲及び添付図面とから明らかとなり、又は本発明の実施により習得されるであろう。
【００１１】
好適な実施態様の詳細な記載
図１を参照すると、本発明の電動工具は参照番号１０で例示され示されている。電動工具１０はドリルとして例示されているが、しかし電気モータを利用するスクリュードライバー、研摩機、回転工具、クリッパー（結さつ機）、鋸その他のような任意の型の電動工具を本発明のモータと共に用いることができる。電動工具１０はモータ１４を取巻くハウジング１２を含んでいる。作動部材１６がモータ１４と電動源１８とに連結されている。電力源１８は電力コード（ＡＣ電流）とすることができ又は電動工具は図示のようにバッテリー（ＤＣ電流）を有することができる。モータ１４は変速機２２とチャック２４を含み工具（図示しない）をドリルと共に保持する出力部２０に連結されている。
【００１２】
モータ１４はハウジング３２、磁束リング３４、及び磁石３６と３８を含むステータ組立体３０を含んでいる。アーマチュア４０がシャフト４２と、積層体４６及び巻線４８を有するロータ４４と、シャフト４２に連結された整流子５０とを含んでいる。モータはまた端部プレート５２と５４を含んでいる。端部プレート５２は電動工具出力部の一部であるピニオン６０と連結されたシャフト５８の一端と平衡を保つ軸受５６を含んでいる。刷子（ブラシ）６２と６４が整流子５０と結合される。軸受７０がまた端部キャップに連結されシャフト４２の回転と平衡を保つようにする。
【００１３】
図２を参照すると、磁束リング３４は磁石３６及び３８と共に図示されている。磁石３６と３８は成形された磁性材料からなっている。好ましくは、成形された材料は射出成形された材料である。リング３４は型の内部に配置され磁性材料が磁束リング上に成形される。またハウジング３２は磁束リングとして用いられる。したがって、リング３４に関する記載はモータ１４の金属ハウジング３２に同様に適用できる。
【００１４】
磁束リング３４は固定具８０を含み磁石３６と３８をリング３４上に保持する。固定具８０は２つの型式とすることができる。第１に、固定具８２が環状ハウジング３４に形成された開口である。この開口８２は第１の部分８４と第２のさら穴部分８６とを有する。さら穴部分８６はリング３４の外部８８まで延びている。したがって、図３に断面で見られるように、成形された磁性材料が開口８２に受け入れられるとき、成形された材料は頸部９２と頭部９４とを有する。頭部９４と頸部９２は全体がリベットの外観をもたらし、したがって、大きな頭部９４は磁石３６，３８をリング３４に保持する作用をする。リング３４は複数の開口固定具８２で構成され磁石をリング３４上に保持する。
【００１５】
他の固定具９６がリング上に用いられる。固定具９６はリング３４の内面９８から突出する。普通には、固定具９６はリング３４に打抜かれるなどで突出固定具９６の直ぐ近くに開口１００を形成する。したがって、成形された磁性材料が突出固定具９６の周りに形成された時、磁性材料は同様に固定具９６の下側に進み開口１００を充たす。これは磁石がリング３４に堅く固定されるようにする。
【００１６】
図２に示されるリング３４は磁性材料を除き図４に示されている。見られるように、突出固定具９６はリング３４と共に単一体に形成された端部１０２と１０４を有する全体が矩形の形状を有する。固定具は脚部１１０，１１２とウエブ１１４との間に屈曲部１０６，１０８を有している。補強のガセット（隅板）１１６が屈曲部１０６，１０８に配置される。補強ガセット１１６は成形工程の間固定具を強化しその形状を保持する。補強ガセット１１６は屈曲部の小さな凹み又は刻み目とすることができる。同様に開口固定具８２は図４に示されている。また開口固定具８２は取外すことができ、半径方向にのみ突出する固定具９６は磁石をハウジングに保持するのに用いられる。
【００１７】
リング３４は普通には矩形の打抜かれた板材料から形成される。この矩形の板材料は打抜かれ、必要とされる固定装置に依存して補強ガセットを含む開口８２もしくは突出固定具９６又はその両方を形成する。平坦な板材料の部分が環状リングに圧延されそして突合わせ接合９９（図示のような）、かみ合い端部１０１（図６に示されるような）その他を有し、リングを形成する。リングは次に型の内部に置かれ磁性材料がリング上に射出成形される。この射出成形された材料は開口８２を通り図３に示されるように突出固定具９６の周りに移動する。次にリングは型から取出され、モータハウジングに挿入されるのに備える。同様に、モータハウジング自体がリングとして利用することができる。この場合リングは存在せず、磁石がハウジング上に直接成形されハウジングは上記のように形成される。
【００１８】
図５〜９を参照すると、本発明の他の実施態様が示されている。図５では、磁束リング３４’がすでに記載されたのと同様に随意の開口固定具を含んでいる。ここでは、突出固定具１２０がリング３４’に一端が固定された全体が矩形の形状を有している。補強ガセット１１６が屈曲部に形成される。また開口１２２が突出固定具１２０の直ぐ近くにある。
【００１９】
特に図６を参照すると、他のリング３４’’が示されている。ここでは、リング３４’’は上記したのと同様に随意の開口固定具８２を含んでいる。ここでは、突出固定具１３０がＬ字形の全体形状を有している。突出するＬは一端がリング３４’’に固定される。補強ガセット１１６はリング３４’’の近くに形成される。突出するＬ字形の固定具１３０の直ぐ近くの開口１３２は同様にＬ字形を有している。
【００２０】
図７を参照すると、他の実施態様が示されている。ここでは、リング３４’’’ が上記したのと同様の随意の開口固定具８２と突出固定具１４０とを含んでいる。突出固定具１４０は全体が矩形形状でありリング３４’’’ から直接内側に角度がつけられている。補強ガセット１１６がリング３４’’の近くに形成される。また、開口１４２は突出固定具１４０の直ぐ近くにある。
【００２１】
図８は本発明の他の実施態様を示す。磁束リング３４’’’’は上記したのと同様に随意の開口固定具８２を含んでいる。突出固定具１６０は全体がＴ字形となっている。Ｔ字形の突出部材１６０の直ぐ近くの開口１６２は同様に対応のＴ字形を有している。補強ガセット１１６がリング３４’’’’の近くに形成される。したがって、磁性材料がリング上に成形されるにしたがって、Ｔ字形の突起１６０は磁性材料によって被覆されまたＴ字形の開口１６２は磁性材料を受け入れ磁石をリング３４’’’’上の所定位置に保持する。
【００２２】
図９を参照すると、磁束リング３４’’’’の他の実施態様が示されている。ここでは、磁束リングが上記したのと同様に随意の開口固定具８２を含んでいる。突出固定具１５０は截頭円錐形となっている。截頭円錐体１５０は軸方向の開口１５２を含んでいる。軸方向の開口は成形された磁性材料が磁束リング’’’’の外面に形成された円錐体１５４の中へと動くことができるようにする。
【００２３】
上記の詳細な記載は本発明の好ましい実施態様を記載しているが、本発明は請求の範囲とその正当な意味とから逸脱することなく変更、変形、改作が許されるものである。
【図面の簡単な説明】
【図１】
本発明の電動工具の横断面図である。
【図２】
本発明の磁束リングの斜面図である。
【図３】
図２の３−３線に沿った断面図である。
【図４】
磁石が取外された図２に示されるのと同様な磁束リングの斜面図である。
【図５】
本発明の磁束リングの他の実施態様の斜面図である。
【図６】
本発明の磁束リングの他の実施態様の斜面図である。
【図７】
本発明の磁束リングの他の実施態様の斜面図である。
【図８】
本発明の磁束リングの他の実施態様の斜面図である。
【図９】
本発明の磁束リングの他の実施態様の斜面図である。
【国際公開パンフレット】
2004500797.tif 000003
2004500797.tif 000004
2004500797.tif 000005
2004500797.tif 000006
2004500797.tif 000007
2004500797.tif 000008
2004500797.tif 000009
2004500797.tif 000010
2004500797.tif 000011
2004500797.tif 000012
2004500797.tif 000013
2004500797.tif 000014
2004500797.tif 000015
2004500797.tif 000016
2004500797.tif 000017
2004500797.tif 000018
2004500797.tif 000019
2004500797.tif 000020
2004500797.tif 000021
2004500797.tif 000022
2004500797.tif 000023
2004500797.tif 000024
【国際公開パンフレット（コレクトバージョン）】
2004500797.tif 000025
2004500797.tif 000026
【手続補正書】
【提出日】平成13年8月13日(2001.8.13)
【手続補正１】
【補正対象書類名】明細書
【補正対象項目名】特許請求の範囲
【補正方法】変更
【補正の内容】
【特許請求の範囲】
【請求項１】
環状ハウジングと、
前記ハウジング上に成形された少なくとも１つの磁石と、
前記少なくとも１つの磁石を前記環状ハウジング上に保持する前記ハウジング上の固定具
とを具備し、
前記固定具が前記ハウジングと共に単一体に形成され補強部材が前記固定具に設けられ前記固定具を強化している、
磁束リング。
【請求項２】
前記環状ハウジングが金属である請求項１に記載の磁束リング。
【請求項３】
前記固定具が屈曲部を含み前記補強部材が前記屈曲部に配置されている請求項１に記載の磁束リング。
【請求項４】
前記固定具が前記ハウジングから半径方向に突出している請求項３に記載の磁束リング。
【請求項５】
前記固定具が前記ハウジングから形成され前記固定具の直ぐ近くに開口が設けられている請求項３に記載の磁束リング。
【請求項６】
前記磁石が前記固定具の周りに前記開口の中に向って成形される請求項５に記載の磁束リング。
【請求項７】
前記固定具が、２つの端部が前記ハウジングに連結された矩形の全体形状を有し補強部材が屈曲部に設けられている請求項３に記載の磁束リング。
【請求項８】
一端が前記ハウジングに連結されている請求項７に記載の磁束リング。
【請求項９】
前記固定具が、一端が前記ハウジングに連結されたＬ字形の全体形状を有している請求項３に記載の磁束リング。
【請求項１０】
前記固定具が、前記ハウジングに一端が連結されたＴ字形の全体形状を有している請求項３に記載の磁束リング。
【請求項１１】
環状ハウジングと、
前記ハウジング上に成形された少なくとも１つの磁石と、
前記少なくとも１つの磁石を前記環状ハウジング上に保持し、前記ハウジングとともに単一体に形成されている、前記ハウジング上の第１の固定具とを具備し、
前記第１の固定具が開口を含み、該開口が前記ハウジングの外面にさら穴部分を含み、第２の固定具が前記ハウジングに設けられ、
補強部材が前記第２の固定具に設けられ前記第２の固定具を強化している、
磁束リング。
【請求項１２】
前記成形された磁石が前記開口に進入しリベット形状部材を形成する請求項１１に記載の磁束リング。
【請求項１３】
前記第２の固定具が屈曲部を含み前記補強部材が前記屈曲部に配置されている請求項１１に記載の磁束リング。
【請求項１４】
前記第２の固定具が前記ハウジングの一部であり前記第２の固定具の直ぐ近くに開口を有している請求項１３に記載の磁束リング。
【請求項１５】
前記磁石が前記第２の固定具の周りに前記開口の中に向って成形される請求項１４に記載の磁束リング。
【請求項１６】
前記第２の固定具が前記ハウジングに２つの端部が連結された矩形の全体形状を有している請求項１３に記載の磁束リング。
【請求項１７】
一端が前記ハウジングに連結されている請求項１６に記載の磁束リング。
【請求項１８】
前記第２の固定具が前記ハウジングに一端が連結されたＬ字形の全体形状を有している請求項１３に記載の磁束リング。
【請求項１９】
前記固定具が前記ハウジングに一端が連結されたＴ字形の全体形状を有している請求項１３に記載の磁束リング。
【請求項２０】
前記固定具が截頭円錐体形状を有している請求項１０に記載の磁束リング。
【請求項２１】
前記截頭円錐体が軸方向の開口を有している請求項２０に記載の磁束リング。
【請求項２２】
磁束リングを含むステータ組立体を具備するモータであって、磁束リングが、
環状ハウジングと、
前記ハウジング上に成形された少なくとも１つの磁石と、
前記少なくとも１つの磁石を前記環状ハウジング上に保持する前記ハウジング上の固定具であって、前記ハウジングとともに単一体に形成され、補強部材が前記固定具に設けられ前記固定具を強化している、固定具と、
前記ステータ組立体の内部で回転可能なアーマチュアと、
前記アーマチュアと共に回転可能で前記アーマチュアにシャフトを介して連結された整流子と、
前記整流子に結合された刷子組立体
とを具備している、モータ。
【請求項２３】
前記環状ハウジングが金属である請求項２２に記載のモータ。
【請求項２４】
前記固定具が屈曲部を含み、前記補強部材が前記屈曲部に配置されている請求項２２に記載のモータ。
【請求項２５】
前記固定具が前記ハウジングから半径方向内側に突出している請求項２４に記載のモータ。
【請求項２６】
前記固定具が前記ハウジングの一部であり前記固定具の直ぐ近くに開口を有している請求項２４に記載のモータ。
【請求項２７】
前記磁石が前記固定具の周りに前記開口の中に向って成形される請求項２４に記載のモータ。
【請求項２８】
前記固定具が前記ハウジングに２つの端部が連結された矩形の全体形状を有し補強部材が屈曲部に設けられている請求項２４に記載のモータ。
【請求項２９】
一端が前記ハウジングに連結されている請求項２４に記載のモータ。
【請求項３０】
前記固定具が前記ハウジングに一端が連結されたＬ字形の全体形状を有している請求項２４に記載のモータ。
【請求項３１】
前記固定具が前記ハウジングに一端が連結されたＴ字形の全体形状を有している請求項２４に記載のモータ。
【請求項３２】
ハウジングと前記ハウジングの中のモータとを具備する電動工具であって、前記モータが磁束リングを含むステータ組立体を具備し、磁束リングが、
環状ハウジングと、
前記環状ハウジング上に成形された少なくとも１つの磁石と、
前記少なくとも１つの磁石を前記環状ハウジング上に保持する前記ハウジング上の固定具であって、前記環状ハウジングとともに単一体に形成され、補強部材が前記固定具に設けられ前記固定具を強化している、固定具と、
前記ステータ組立体の内部で回転可能なアーマチュアと、
前記アーマチュアとともに回転可能であり前記アーマチュアにシャフトを介して連結された整流子と、
前記整流子に結合された刷子組立体と、
電力供給源と、
前記モータシャフトに連結された出力部材と、
前記モータと前記電力供給源との間で電気的に連結され前記モータを励磁しまた無励磁にし前記モータが励磁された時前記出力部材を回転するアクチュエータ部材、
とを具備している、電動工具。
【請求項３３】
前記環状ハウジングが金属である請求項３２に記載の電動工具。
【請求項３４】
前記固定具が屈曲部を含み、前記補強部材が前記屈曲部に設けられている請求項３２に記載の電動工具。
【請求項３５】
前記固定具が前記環状ハウジングから半径方向内側に突出している請求項３４に記載の電動工具。
【請求項３６】
前記固定具が前記環状ハウジングの一部であり前記固定具の直ぐ近くに開口を有している請求項３４に記載の電動工具。
【請求項３７】
前記磁石が前記固定具の周りに前記開口の中に向って成形される請求項３４に記載の電動工具。
【請求項３８】
前記固定具が前記環状ハウジングに２つの端部が連結された矩形の全体形状を有し補強部材が屈曲部に設けられている請求項３４に記載の電動工具。
【請求項３９】
一端が前記環状ハウジングに連結されている請求項３４に記載の電動工具。
【請求項４０】
前記固定具が前記環状ハウジングに一端が連結されたＬ字形の全体形状を有している請求項３４に記載の電動工具。
【請求項４１】
前記固定具が前記環状ハウジングに一端が連結されたＴ字形の全体形状を有している請求項２４に記載の電動工具。
【請求項４２】
環状ハウジングと、
前記ハウジング上に受け入れられた少なくとも１つの成形された磁石と、
前記少なくとも１つの磁石を前記環状ハウジング上に保持する前記ハウジング上の第１の固定具であって、前記ハウジングとともに単一体に形成され、開口を含み、該開口が前記ハウジングの外側にさら穴部分を含み、第２の固定具が前記ハウジング上に設けられている、第１の固定具と、
前記第２の固定具を強化するための前記第２の固定具上の補強部材と、
前記ステータ組立体の内部で回転可能なアーマチュアと、
前記アーマチュアとともに回転可能で前記アーマチュアにシャフトを介して連結された整流子と、
前記整流子と結合された刷子組立体
とを具備しているモータ。
【請求項４３】
前記成形された磁石が前記開口に進入しリベット形状の部材を形成する請求項４２に記載のモータ。
【請求項４４】
前記固定具が屈曲部を含み前記補強部材が前記屈曲部に位置している請求項４２に記載のモータ。
【請求項４５】
ハウジングと前記ハウジングの中のモータとを具備する電動工具であって、
前記モータがステータ組立体を具備し、前記ステータ組立体が磁束リングを含み、磁束リングが、
環状ハウジングと、
前記環状ハウジングに受け入れられた少なくとも１つの成形された磁石と、
前記少なくとも１つの磁石を前記環状ハウジング上に保持する第１の固定具であって、前記環状ハウジングとともに単一体に形成され、前記環状ハウジング上にさら穴部分を含む開口を含み、前記ハウジング上に第２の固定具を有している、第１の固定具と、
前記第２の固定具を強化するための前記第２の固定具上の補強部材と、
前記ステータ組立体の内部で回転可能なアーマチュアと、
前記アーマチュアとともに回転可能でありかつ前記アーマチュアにシャフトを介して連結された整流子と、
前記整流子に結合された刷子組立体と、
電力供給源と、
前記モータのシャフトに連結された出力部材と、
前記モータと前記電力供給源との間に電気的に連結され前記モータを励磁しまた無励磁にし前記モータが励磁された時前記出力部材を回転するアクチュエータ部材、
とを具備している、電動工具。
【請求項４６】
前記成形された磁石が前記開口に進入しリベット形状の部材を形成する請求項４５に記載の電動工具。
【請求項４７】
前記固定具が屈曲部を含み、前記補強部材が前記屈曲部に設けられている請求項４５に記載の電動工具。
【国際調査報告】
2004500797.tif 000027
2004500797.tif 000028